(57)【要約】【課題】  トイレに水道水，非水道水からなるトイレ用水を選択的に便器洗浄水，人体洗浄水として供給する構成をコンパクトに設備できようにする。【解決手段】  トイレ用水の供給元として、水道水供給系１と非水道水が供給される非水道水供給系２とが配管されている。トイレ用水の供給先は、便器洗浄水が貯溜されるタンク４と、人体浄水が貯溜される洗浄ユニット１１とからなる。タンク４の直前には、水道水供給系１と非水道水供給系２とが合流接続された便器洗浄水供給系６が配管されている。水道水供給系１には、水道水の流通を断続する水道コック８が設けられている。非水道水供給系２には、水道水の浸入を阻止する規制部材１０が設けられている。水道水供給系１には、洗浄ユニット１１に接続される人体洗浄水供給系１２が分岐されている。【選択図】図１
0003167095.tif 000002
【実用新案登録請求の範囲】
【請求項１】
トイレ用水の供給元として水道水が供給される水道水供給系と雨水，井戸水等の非水道水が供給される非水道水供給系とが配管され、トイレ用水の供給先が便器から排泄物を排出するとともに便器を洗浄する便器洗浄水が貯溜されるタンクと肛門，性器等を洗浄する人体洗浄水が貯溜される洗浄ユニットとからなるトイレ用水供給装置において、タンクの直前に水道水供給系と非水道水供給系とが合流接続された便器洗浄水供給系が配管され、水道水供給系の非水道水供給系との接続箇所に近接した箇所に水道水の流通を断続する水道コックが設けられ、非水道水供給系の水道水供給系との接続箇所に近接した箇所に水道水の浸入を阻止する規制部材が設けられ、水道水供給系の水道コックよりも水道水の供給上流側に洗浄ユニットに接続される人体洗浄水供給系が分岐されていることを特徴とするトイレ用水供給装置。
【請求項２】
請求項１のトイレ用水供給装置において、規制部材は逆止弁からなることを特徴とするトイレ用水供給装置。
【請求項３】
請求項１のトイレ用水供給装置において、規制部材は水道コックからなることを特徴とするトイレ用水供給装置。
【考案の詳細な説明】
【技術分野】
【０００１】
本考案は、トイレに水道水，非水道水からなるトイレ用水を選択的に供給するトイレ用水供給装置に係る技術分野に属する。
【背景技術】
【０００２】
トイレに供給されるトイレ用水は、便器から排泄物を排出するとともに便器を洗浄する便器洗浄水と、肛門，性器等を洗浄する人体洗浄水として利用される。トイレ用水としては、水道水と非水道水（雨水，井戸水等）とが使用されている。ただし、トイレ用水のうち人体洗浄水については、衛生面から水道水のみが使用される。なお、便器洗浄水は、便器に接続されたボールタップ式のタンク（ロータンク）に供給されるようになっている。また、人体洗浄水は、便器に付設されたヒータ，ポンプ等を内蔵した洗浄ユニットに供給されるようになっている。
【０００３】
最近、水資源の節約に有効であることから、便器洗浄水として非水道水を使用することが普及してきている。然しながら、便器洗浄水を非水道水のみとすると供給に安定性が確保されないことがあることから、便器洗浄水として水道水，非水道水を選択的に供給するように設備されるのが一般的になっている。
【０００４】
従来、トイレ用水供給装置としては、例えば、特許文献１，２に記載のものが知られている。
【０００５】
特許文献１には、タンクに供給されるトイレ用水を手動切換バルブによって水道水，非水道水に切換えるようにしたトイレ用水供給装置が記載されている。
【０００６】
特許文献２には、タンク，洗浄ユニットに供給されるトイレ用水を分岐栓を介して分岐するようにしたトイレ用水供給装置が記載されている。
【先行技術文献】
【特許文献】
【０００７】
【特許文献１】特開平８−４９２７５号公報
【特許文献２】特開２００５−３３６８５６号公報
【考案の概要】
【考案が解決しようとする課題】
【０００８】
特許文献１，２に係るトイレ用水供給装置では、人体洗浄水の供給について考慮が払われていない（特許文献１）か、非水道水の使用について考慮が払われていない（特許文献２）ため、トイレに水道水，非水道水からなるトイレ用水を選択的に便器洗浄水，人体洗浄水として供給する構成をコンパクトに設備することができていないという問題点がある。
【０００９】
本考案は、このような問題点を考慮してなされたもので、トイレに水道水，非水道水からなるトイレ用水を選択的に便器洗浄水，人体洗浄水として供給する構成をコンパクトに設備することのできるトイレ用水供給装置を提供することを課題とする。
【課題を解決するための手段】
【００１０】
前述の課題を解決するため、本考案に係るトイレ用水供給装置は、実用新案登録請求の範囲の各請求項に記載の手段を採用する。
【００１１】
即ち、請求項１では、トイレ用水の供給元として水道水が供給される水道水供給系と雨水，井戸水等の非水道水が供給される非水道水供給系とが配管され、トイレ用水の供給先が便器から排泄物を排出するとともに便器を洗浄する便器洗浄水が貯溜されるタンクと肛門，性器等を洗浄する人体洗浄水が貯溜される洗浄ユニットとからなるトイレ用水供給装置において、タンクの直前に水道水供給系と非水道水供給系とが合流接続された便器洗浄水供給系が配管され、水道水供給系の非水道水供給系との接続箇所に近接した箇所に水道水の流通を断続する水道コックが設けられ、非水道水供給系の水道水供給系との接続箇所に近接した箇所に水道水の浸入を阻止する規制部材が設けられ、水道水供給系の水道コックよりも水道水の供給上流側に洗浄ユニットに接続される人体洗浄水供給系が分岐されていることを特徴とする。
【００１２】
この手段では、水道水供給系，非水道水供給系，便器洗浄水供給系，人体洗浄水供給系，水道コック，規制部材がそれぞれタンク，洗浄ユニットに近接して設けられることで、各部の配置がタンク，洗浄ユニットの近傍に集合される。
【００１３】
また、請求項２では、請求項１のトイレ用水供給装置において、規制部材は逆止弁からなることを特徴とする。
【００１４】
この手段では、規制部材を手動操作の不要な逆止弁とすることで、水道水供給系からの水道水の流通の有無にかかわりなく非水道水供給系への水道水の浸入が阻止される。
【００１５】
また、請求項３では、請求項１のトイレ用水供給装置において、規制部材は水道コックからなることを特徴とする。
【００１６】
この手段では、規制部材を汎用されている水道コックとすることで、規制部材の部材コストが低減される。
【考案の効果】
【００１７】
本考案に係るトイレ用水供給装置は、水道水供給系，非水道水供給系，便器洗浄水供給系，人体洗浄水供給系，水道コック，規制部材がそれぞれタンク，洗浄ユニットに近接して設けられることで、各部の配置がタンク，洗浄ユニットの近傍に集合されるため、トイレに水道水，非水道水からなるトイレ用水を選択的に便器洗浄水，人体洗浄水として供給する構成をコンパクトに設備することができる効果がある。
【００１８】
さらに、請求項２として、規制部材を手動操作の不要な逆止弁とすることで、水道水供給系からの水道水の流通の有無にかかわりなく非水道水供給系への水道水の浸入が阻止されるため、水道水，非水道水の使用が自動的に切換えられる効果がある。
【００１９】
さらに、請求項３として、規制部材を汎用されている水道コックとすることで、規制部材の部材コストが低減されるため、設備コストが低減される効果がある。
【図面の簡単な説明】
【００２０】
【図１】本考案に係るトイレ用水供給装置を実施するための形態の第１例のトイレ用水の流路図である。
【図２】図１の要部の斜視図である。
【図３】本考案に係るトイレ用水供給装置を実施するための形態の第２例のトイレ用水の流路図である。
【考案を実施するための形態】
【００２１】
以下、本考案に係るトイレ用水供給装置を実施するための形態を図面に基づいて説明する。
【００２２】
図１，図２は、本考案に係るトイレ用水供給装置を実施するための形態の第１例を示すものである。
【００２３】
第１例では、一般家庭のトイレに適用するのに好適なものを示してある。
【００２４】
第１例は、図１に示すように、トイレ用水の供給元として、水道水Ｗ１が供給される水道水供給系１と、雨水，井戸水等の非水道水Ｗ２が供給される非水道水供給系２とが設けられている。水道水供給系１は、水道取入口３から便器から排泄物を排出するとともに便器を洗浄する便器洗浄水Ｗ３が貯溜されるトイレ用水の供給先であるタンク４の直前まで配管されている。非水道水供給系２は、タンク４よりも高所に設置され非水道水Ｗ２が貯溜された天タンク５からトイレのタンク４の直前まで配管されている。
【００２５】
タンク４の直前には、水道水供給系１と非水道水供給系２とが合流接続された便器洗浄水供給系６が配管されている。水道水供給系１と非水道水供給系２との合流接続には、図２に示すように、汎用されている安価な３方同一径のＴ字形分岐管７が使用される。
【００２６】
水道水供給系１の非水道水供給系２との接続箇所に近接した箇所には、水道水Ｗ１の流通を断続するために、汎用されている安価な水道コック８が設けられている。なお、水道コック８に至る水道水供給系１については、上方から配管される非水道水供給系２との混雑を避けて下方から配管するために、図２に示すように、前述のＴ字形分岐管７の直前でＬ字管９で屈曲配管するのが好ましい。
【００２７】
非水道水供給系２の水道水供給系１との接続箇所に近接した箇所には、水道水Ｗ１の浸入を阻止する規制部材１０が設けられている。この規制部材１０は、手動操作の不要な逆止弁が採用されている。
【００２８】
水道水供給系１の水道コック８よりも水道水Ｗ１の供給上流側には、肛門，性器等を洗浄する人体洗浄水Ｗ４が貯溜されるトイレ用水の供給先である洗浄ユニット１１に接続される人体洗浄水供給系１２が分岐されている。この分岐には、図２に示すように、小径の配管でたりる人体洗浄水供給系１２に対応した１方が小径のＴ字形分岐管１３が使用される。
【００２９】
第１例によると、水道水供給系１，非水道水供給系２，便器洗浄水供給系４，人体洗浄水供給系１２，水道コック８，規制部材１０がそれぞれタンク４，洗浄ユニット１１に近接して設けられることになる。この結果、各部の配置がタンク４，洗浄ユニット１１の近傍に集合され、トイレに水道水Ｗ１，非水道水Ｗ２からなるトイレ用水を選択的に便器洗浄水Ｗ３，人体洗浄水Ｗ４として供給する構成をコンパクトに設備することができる。
【００３０】
第１例が設備されると、通常、水道コック８を閉鎖した状態で使用することになる。
【００３１】
この状態では、便器洗浄水供給系６には、非水道水供給系２から便器洗浄水Ｗ３として非水道水Ｗ２が供給される。また、人体洗浄水供給系１２には、水道水供給系１から人体洗浄水Ｗ４として水道水Ｗ１が供給される。
【００３２】
そして、非水道水Ｗ２が消失した場合には、水道コック８を開放することになる。
【００３３】
この状態では、便器洗浄水供給系６には、水道水供給系１から便器洗浄水Ｗ３として水道水Ｗ１が供給される。また、人体洗浄水供給系１２には、変わらず、水道水供給系１から人体洗浄水Ｗ４として水道水Ｗ１が供給される。なお、非水道水供給系２に逆止弁からなる規制部材１０が設けられているため、水道水Ｗ１が非水道水供給系２側に漏出することはない。
【００３４】
従って、第１例の使用操作が煩雑になるということはない。
【００３５】
図３は、本考案に係るトイレ用水供給装置を実施するための形態の第２例を示すものである。
【００３６】
第２例は、第１例の規制部材１０を汎用されている安価な水道コックとしてある。
【００３７】
第２例によると、規制部材１０として逆止弁を採用するよりも設備コストを低減することができる。
【００３８】
なお、第２例では、規制部材１０を開放した際には水道コック８を閉鎖し、規制部材１０を閉鎖した際には水道コック８を開放する使用形態を採ることになる。
【００３９】
以上、図示した各例の外に、水道コック８，規制部材１０を電動コックとして遠隔操作できるようにすることも可能である。
【産業上の利用可能性】
【００４０】
本考案に係るトイレ用水供給装置は、公衆トイレ等の大規模なトイレにも適用することが可能である。
【符号の説明】
【００４１】
１            水道水供給系
２            非水道水供給系
４            タンク
６            便器洗浄水供給系
８            水道コック
１０          規制部材
１１          洗浄ユニット
１２          人体洗浄水供給系
Ｗ１          水道水
Ｗ２          非水道水
Ｗ３          便器洗浄水
Ｗ４          人体洗浄水
【図１】
0003167095.tif 000003
【図２】
0003167095.tif 000004
【図３】
0003167095.tif 000005